(57)【要約】      （修正有）【課題】軽量な液晶表示モジュールと筺体とを含むシステムを提供する。【解決手段】液晶表示モジュール３０１は、液晶表示パネル３１０およびフレーム３２０を含む。フレーム３２０は、第１係合部３３０を含む。筺体４００は第１係合部３３０と対応する第２係合部４１０を含み、第２係合部４１０は第１係合部３３０と係合して液晶表示モジュール３０１を固定する。筺体４００の第２係合部４１０は、係合、取り付け、または、その他の適切な手段によって液晶表示モジュール３０１の第１係合部３３０に連結される突起である。第１係合部３３０は、凹みである。【選択図】図５
2006189866.tif 000002
【特許請求の範囲】
【請求項１】
画像を表示するシステムであって、
液晶表示パネルおよびフレームを含み、前記フレームが少なくとも一つの係合部を有する液晶表示モジュールと、
前記液晶表示モジュールを収容する筐体とを備え、筐体は前記液晶表示モジュールを前記筺体に固定するために前記第１係合部と連結される少なくとも一つの第２係合部を含む、システム。
【請求項２】
前記第２係合部は前記第１係合部に取り付けられる、請求項１に記載のシステム。
【請求項３】
前記第２係合部は前記第１係合部と係合される、請求項１に記載のシステム。
【請求項４】
前記筺体は金属よりなる、請求項１に記載のシステム。
【請求項５】
前記筺体はプラスチック材料よりなる、請求項１に記載のシステム。
【請求項６】
前記第１係合部は凹みを含む、請求項１に記載のシステム。
【請求項７】
前記第２係合部は突起を含む、請求項１に記載のシステム。
【請求項８】
画像を表示するシステムであって、
液晶表示パネルおよびフレームを含み、前記フレームが少なくとも一つの係合部を有する液晶表示モジュールと、
前記液晶表示モジュールを収容する内部および前記第１係合部に対応する少なくとも一つの第２係合部を含む筺体とを備え、
前記第２係合部および前記第１係合部によって前記液晶表示モジュールが前記筺体に固定される、システム。
【請求項９】
前記第２の係合は、前記液晶表示モジュールを前記筺体に固定するために前記第１係合部に取り付けられる、請求項８に記載のシステム。
【請求項１０】
前記第２係合部は、前記液晶表示モジュールを前記筺体に固定するために前記第１係合部と係合される、請求項８に記載のシステム。
【請求項１１】
前記筺体は金属よりなる、請求項８に記載のシステム。
【請求項１２】
前記筺体はプラスチック材料よりなる、請求項８に記載のシステム。
【請求項１３】
前記第１係合部は凹みを含む、請求項８に記載のシステム。
【請求項１４】
前記第２係合部は突起を含む、請求項８に記載のシステム。
【請求項１５】
前記第２係合部は更に突出部を含む、請求項８に記載のシステム。
【請求項１６】
前記筺体は更に第３係合部を含み、前記第２係合部を前記第１係合部と対向するように連結し、前記第３係合部を前記フレームの一部と対向するように連結することで前記液晶表示モジュールが前記筺体に固定される、請求項８に記載のシステム。
【発明の詳細な説明】
【技術分野】
【０００１】
本発明は、液晶表示装置に関する。
【背景技術】
【０００２】
従来、液晶表示装置は、ノート型あるいは携帯型コンピュータのようなコンピュータ内の液晶表示モジュールを含む。図１に示すように、従来の液晶表示モジュールは、液晶表示パネル１１０およびフレーム１００を含む。フレーム１００は、液晶表示モジュールをノート型コンピュータに連結するための連結部１２０を含む。連結部１２０は、ノート型コンピュータの筺体と液晶表示モジュールのフレームとを連結するためにねじが挿通されるねじ孔１３０を含む。
【０００３】
図２は、ノート型コンピュータ２００に固定された従来の液晶表示モジュールを示す。フレーム１００は、四隅に連結部１２０およびねじ孔１３０を含む。フレーム１００は、ねじ孔１３０に挿通されるねじ１５０を用いてコンピュータの筺体２１０に固定される。
【特許文献１】米国特許第６０２０９４２号明細書
【特許文献２】米国特許第６３７３５３７号明細書
【特許文献３】米国特許第５９２６２３７号明細書
【特許文献４】米国特許第６００２４５７号明細書
【発明の開示】
【発明が解決しようとする課題】
【０００４】
しかしながら、この種類の固定手段には、フレームおよびノートの筺体２１０にある程度の厚さが必要である。更に、連結部１２０を形成するためにある程度の領域をフレーム１００に設ける必要がある。これはノート型コンピュータ２００の重量を増加させる結果となる。
【課題を解決するための手段】
【０００５】
画像を表示するシステムが提供される。このようなシステムの一実施形態は、液晶表示モジュールおよび筺体を備える。液晶表示モジュールは、液晶表示パネルおよびフレームを含む。フレームは、第１係合部を含む。筺体は、液晶表示モジュールを固定するために第１係合部と連結される第２係合部を含む。筺体の第２係合部は、係合、取り付け、または、他の適切な手段によって液晶表示モジュールの第１係合部と連結される。
【０００６】
液晶表示装置を備えるシステムは、液晶表示モジュールと筺体とを含む。液晶表示モジュールは、液晶表示パネルおよびフレームを含む。フレームは第１係合部を含む。筺体は第２係合部を含む。第１係合部と筺体の第２係合部との連結により液晶表示モジュールが筺体に固定される。
【発明を実施するための最良の形態】
【０００７】
画像を表示するシステムを例示する実施形態を以下に説明する。図３（ａ）および図３（ｂ）は、システムの一部を示している。具体的には、システムは、筺体と液晶表示モジュール３０１とを備え、液晶表示モジュール３０１は液晶パネル３１０およびフレーム３２０とを含む。図３（ａ）に示すように、フレーム３２０は、両側部にそれぞれ２つの第１係合部３３０を含む。或いは、図３（ｂ）に示すように、フレーム３２０は、両側部にそれぞれ一つの第１係合部３３０を含む。この他の実施形態では、第１係合部３３０の数および位置は、適宜変更してもよい。
【０００８】
図４は、本発明の一実施形態の液晶表示装置３００を示す。液晶表示装置３００は、筺体４００と液晶表示モジュール３０１とを備え、液晶表示モジュール３０１は液晶表示パネル３１０およびフレーム３２０とを含む。図４に示すように、液晶表示モジュール３０１は筺体４００の内側に配置されている。つまり、筺体４００は液晶表示モジュール３０１を収容可能な内部を有する。本明細書は、液晶表示装置３００の形状、更には、筺体４００と液晶表示モジュール３０１との連結方法を限定されることを意図するものでないことは理解されるであろう。
【０００９】
図５は、係合連結の第１実施形態を示し、図４のＡ−Ａ’線に沿った断面図である。本実施形態では、液晶表示装置３００は、液晶表示モジュール３０１と筺体４００とを備える。液晶表示モジュール３０１は、液晶表示パネル３１０およびフレーム３２０を含む。フレーム３２０は、第１係合部３３０を含む。筺体４００は第１係合部３３０と対応する第２係合部４１０を含み、第２係合部４１０は第１係合部３３０と係合して液晶表示モジュール３０１を固定する。筺体４００は、ノート型コンピュータにおける液晶表示モジュールを収容する筺体であってもよい。筺体４００は、金属あるいはプラスチック材料よりなる。筺体４００は、クランプ連結、ねじ込み式連結などによってフレーム３２０の裏面に公知の方法で連結可能である。筺体４００とフレーム３２０との連結の詳細な説明は省略する。筺体４００の第２係合部４１０は、係合、取り付け、または、その他の適切な手段によって液晶表示モジュール３０１の第１係合部３３０に連結される突起である。第１係合部３３０は、凹みである。
【００１０】
図６は、係合連結の第２実施形態を示す断面図である。本実施形態では、液晶表示モジュール３０１と筺体４００とを備える液晶表示装置３００が示される。液晶表示モジュール３０１は、液晶表示パネル３１０およびフレーム３２０を含む。フレーム３２０は、第１係合部３３０を含む。筺体４００は、第２係合部４１０および突出部４２０を含む。第２係合部４１０は筺体４００の突起である。突出部４２０は第２係合部４１０から突出する。第２係合部４１０は、第１係合部３３０と係合し、突出部４２０はフレーム３２０の一部を覆い、液晶表示モジュール３０１と筺体４００との係合連結を確実なものとする。
【００１１】
図７は、係合連結の第３実施形態を示す断面図である。本実施形態でも、液晶表示モジュール３０１と筺体４００とを有する液晶表示装置３００が示される。液晶表示モジュール３０１は、液晶表示パネル３１０およびフレーム３２０を含む。フレーム３２０は、第１係合部３３０を含む。本実施形態では、筺体４００は、第３係合部４５０および第２係合部４４０を含む。第２係合部４４０は、第１係合部３３０と係合する。筺体４００から鉛直に延びる第３係合部４５０はフレーム３２０の一部を覆い、液晶表示モジュール３０１と筺体４００との係合連結を確実なものとする。図６に対して、図７の筺体４００は、二つの別個な係合部４４０，４５０を有する。液晶表示モジュール３０１は、第２係合部４４０を第１係合部３３０に対向するように連結し、第３係合部４５０をフレーム３２０の一部に対向するように連結することで筺体４００に固定される。液晶表示モジュール３０１と筺体４００とを固定する方法は、係合、取り付け、または、他の適切な手段であってもよい。本実施例では、第２および第３係合部４４０，４５０は、Ｆ字形状構造をなす筺体４００の二つの突起であってもよい。
【００１２】
上述の筺体の第２係合部は、液晶表示モジュールの凹みである第１係合部に対応する突起であり、そのため、液晶表示モジュールはねじを用いることなく固定される。第１係合部および第２係合部の形状は、液晶表示モジュールと筺体との間の固定の確実性を向上させるよう変更可能である。
【００１３】
本発明の現在考えられている最も実用的且つ好ましい実施形態の詳細な説明により、その特徴および主旨が明確に示されるであろう。しかしながら、上述の例は限定する意味を持つものとして解釈されるものではない。全ての類似の変更例および均等物が保護されるべき範囲内で網羅され、従って、本発明の範囲が可能な限り広義に解釈されることは理解されるであろう。
【図面の簡単な説明】
【００１４】
【図１】従来技術の液晶表示装置を示す図。
【図２】コンピュータに固定される、従来技術の液晶表示装置を示す図。
【図３】（ａ）および（ｂ）は、本発明の液晶表示モジュールについて二つの実施形態を示す図。
【図４】本発明の液晶表示装置を示す図。
【図５】係合連結の第１実施形態を示す断面図。
【図６】係合連結の第２実施形態を示す断面図。
【図７】係合連結の第３実施形態を示す断面図。
【図１】
2006189866.tif 000003
【図２】
2006189866.tif 000004
【図３】
2006189866.tif 000005
【図４】
2006189866.tif 000006
【図５】
2006189866.tif 000007
【図６】
2006189866.tif 000008
【図７】
2006189866.tif 000009